(57)【要約】【課題】  自動車の車室内で様々なサイズや液晶ディスプレイの表示状態を有する携帯電話機などの物品の保持に対応することが可能な物品ホルダーを提供することを目的とする。【解決手段】  物品の背面に当接する背面部と、前記背面部の左右両端よりそれぞれ前方へ延設する左右一対のアーム部とを有する本体と、被取付対象物に取り付けるための取付ベースとからなる物品ホルダーであって、前記本体は、背面部とアーム部を転回可能に軸支したリアケースを有するとともに、リアケースは前記取付ベースと仰角調整可能に軸支し、前記左右一対のアーム部は対向方向の幅を拡狭可能に構成したので、自動車の車室内で様々なサイズや液晶ディスプレイの表示状態を有する携帯電話機などの物品の保持に対応することができる。また、保持する物品を取り替える際もその表示状態に応じて９０°転回することで容易に対応することができる極めて使い勝手の良い物品ホルダーを提供することが可能となった。【選択図】図１
2008202771.tif 000002
【特許請求の範囲】
【請求項１】
携帯電話機などの背面に当接する背面部と、前記背面部の左右両端よりそれぞれ前方へ延設する左右一対のアーム部とを有する本体と、被取付対象物に取り付けるための取付ベースとからなる物品ホルダーであって、前記本体は、背面部とアーム部を転回可能に軸支したリアケースを有するとともに、リアケースは前記取付ベースと仰角調整可能に軸支し、前記左右一対のアーム部は対向方向の幅を拡狭可能に構成したことを特徴とする物品ホルダー。
【請求項２】
前記アーム部の対向する一対の面には、弾性材で形成した多数のヒゲ状の突起をそれぞれ設け、該突起の突出方向は、アーム部の突起形成面に鉛直な方向に対し、前記背面部方向に傾けたことを特徴とする請求項１に記載の物品ホルダー。
【発明の詳細な説明】
【技術分野】
【０００１】  本発明は、物品の保持具に関し、特に携帯電話機、携帯デジタルオーディオプレイヤーなどの物品を主として自動車の車室内で保持するのに適した装置に関する。
【背景技術】
【０００２】  携帯電話機、携帯デジタルオーディオプレイヤーは近年急速に発達し、携帯電話機にあっては、地上デジタル放送の開始に伴い従来のアナログ放送の映像と比較し鮮明な画像のワンセグ放送を受信できる機種が数多く市販されるようになった。また、携帯デジタルオーディオプレイヤーにあっては、従来の音楽だけでなくビデオ映像も表示することが可能な機種も数多く市販されるようになり、これらの物品を自動車の車室内で保持する装置が数多く提案されている。【０００３】  例えば、これらの物品を保持させるための一般的な先行技術としては、特許文献１の特開平１０−１８１４６２号公報に開示された「物品ホルダー」が挙げられる。この発明は、携帯電話機などの物品の側面を保持するアーム面に、適度の弾性と摩擦とを持った材質で形成した多数のヒゲ状の突起を備えた抑え部材を備えて、機器類を容易に挿入して保持させるようにしたもので、物品ホルダーの背面に備えた取付ベースを用いて車両のダッシュボードなどの適宜な面に両面テープなどの手段を用いて取り付けるものである。【０００４】  また、これらの物品を、保持させる部分と被取付対象物への取付ベースとを軸支して回動可能とした一般的な先行技術としては、特許文献２の実用新案登録第３０４４９０９号公報に開示された「ラップトップ型パソコン用電話機ホルダー」が挙げられる。この考案は、ラップトップ型パソコンのディスプレイ部の周縁適所に携帯電話機を保持するために、クリップ状の挟持台部と電話機載置ポケット部とから構成し、該挟持台部と電話機載置ポケット部とを回動可能に軸支することで、ディスプレイ部の周縁適所、すなわち上辺であるとか側辺であるとかを、好み、メーカー、機種に対応して最適な位置にセットすることを可能としたものである。【０００５】  さらに、特許文献２と同様な技術としては、特許文献３の特開２００６−２７０２３７号公報に開示された「充電台」が挙げられる。この発明は、スタンドを側面視略Ｌ字又は略Ｔ字型にし、アーム部を本体部の背面に左右の方向の振れ角を有して軸着し、接地ベース部を略三角形状にしたことによりスタンドの回転と接地ベース部の接地面又は接地辺を選択することで起立（縦置き）設置と、横斜め置き設置と、伏臥（寝かせ）設置の三形態の使用を可能として、画面を正視可能に見やすくしたものである。【０００６】
【特許文献１】  特開平１０−１８１４６２号公報
【特許文献２】  実用新案登録第３０４４９０９号公報
【特許文献３】  特開２００６−２７０２３７号公報
【発明の開示】
【発明が解決しようとする課題】
【０００７】  ところで、特許文献１の「物品ホルダー」にあっては、概ね縦長の長方体形状の携帯電話機などの物品の横方向側面をアームで保持するに過ぎず、テレビ機能を内蔵した携帯電話機を自然に縦方向に保持させると、テレビ映像を液晶ディスプレイに表示させたときに、９０°転回した状態となり視聴に耐えうるものではない。そこでこのような場合は、取付ベースに対してアームを備えた部分を９０°転回させて取り付けることにより解決するが、保持する物品を携帯用デジタルオーディオプレイヤーに取り替えて保持させようとすると今度は横方向に保持することになり、この機器のディスプレイに表示される楽曲やアーティストの表示が９０°転回した状態となってしまうという問題がある。その度に、取付ベースに対してアームを備えた部分を９０°転回させて付け替えることは極めて煩わしい問題である。【０００８】  特許文献２の「ラップトップ型パソコン用電話機ホルダー」にあっては、ラップトップパソコンのディスプレイ部の上辺または側辺への取付対応のために、クリップ状の挟持台部と電話機載置ポケット部とを転回可能に軸支しているのであって、物品の液晶ディスプレイの表示内容に応じて転回させることを目的としているものではない。また、携帯電話機の保持を主に考慮したものであり、携帯電話機個々のサイズへの対応は、ポケット部を交換することで対応する。このため携帯電話機の機種別またはサイズ別のバリエーション展開をする必要があり金型投資によるコスト増大が避けられないといった問題がある。【０００９】  さらに、特許文献３の「充電台」にあっても、携帯電話機個々のサイズへの対応がなされておらず特許文献２と同様な問題点がある。【００１０】  そこで本発明は、上記した課題を考慮し、自動車の車室内で様々なサイズの携帯電話機や携帯用デジタルオーディオプレイヤーなどの物品の保持に対応することができるとともに、これら物品の液晶ディスプレイの表示内容に応じて正常な位置で視認、視聴できるように容易に転回可能にした物品ホルダーを提供することを目的とする。
【課題を解決するための手段】
【００１１】  携帯電話機などの物品の背面に当接する背面部と、前記背面部の左右両端よりそれぞれ前方へ延設する左右一対のアーム部とを有する本体と、被取付対象物に取り付けるための取付ベースとからなる物品ホルダーであって、前記本体は、背面部とアーム部を転回可能に軸支したリアケースを有するとともに、リアケースは前記取付ベースと仰角調整可能に軸支し、前記左右一対のアーム部は対向方向の幅を拡狭可能に構成したことで解決される。【００１２】  また、前記アーム部の対向する一対の面には、弾性材で形成した多数のヒゲ状の突起をそれぞれ設け、該突起の突出方向は、アーム部の突起形成面に鉛直な方向に対し、前記背面部方向に傾けたことで解決される。
【発明の効果】
【００１３】  携帯電話機などの物品の背面に当接する背面部と、前記背面部の左右両端よりそれぞれ前方へ延設する左右一対のアーム部とを有する本体と、被取付対象物に取り付けるための取付ベースとからなる物品ホルダーであって、前記本体は、背面部とアーム部を転回可能に軸支したリアケースを有するとともに、リアケースは前記取付ベースと仰角調整可能に軸支し、前記左右一対のアーム部は対向方向の幅を拡狭可能に構成したので、自動車の車室内で様々なサイズや液晶ディスプレイの表示状態を有する携帯電話機や携帯用デジタルオーディオ機器などの物品の保持に対応することを可能としたとともに、保持する物品を状況に応じて取り替える際も液晶ディスプレイの表示に合わせて正常な位置で視認、視聴できるように容易に転回して対応ができる極めて使い勝手の良い物品ホルダーを提供することが可能となったものである。【００１４】  また、前記アーム部の対向する一対の面には、弾性材で形成した多数のヒゲ状の突起をそれぞれ設け、該突起の突出方向は、アーム部の突起形成面に鉛直な方向に対し、前記背面部方向に傾けたので、対向するアーム部間に保持される携帯電話機などの側面を適度の押圧力で抑えて確実に保持する。また、このヒゲ状の突起は、その全てが背面部方向へ傾いて設けられているので、携帯電話機などを保持しようとするときは容易に挿入し保持することができ、保持後は振動や衝撃で脱落するようなことがなく、確実な保持状態を得ることが可能となったものである。
【発明を実施するための最良の形態】
【００１５】  次に、本発明の物品ホルダーの第１の実施例について、図面を参照して詳細に説明する。図１は、本発明の全体図であり、携帯電話機や携帯デジタルオーディオプレイヤーなどの物品の背面に当接する背面部（１ａ）と、前記背面部の左右両端よりそれぞれ前方へ延設し物品の側面を挟持して保持するための左右一対のアーム部（１ｂ）とを有する本体（１）と、自動車の車室内のダッシュボードなどの面に両面粘着テープなどの手段を用いて取り付けるための取付ベース（２）とから構成している。【００１６】  そして、図２の本発明の物品ホルダーの正面図に示すように前記本体（１）は、保持する物品に備えられた液晶ディスプレイの表示が見やすくなるように背面部（１ａ）とアーム部（１ｂ）を回動可能に軸支部（１ｄ）によりリアケース（１ｃ）とを軸支した。例えば保持する物品が図５（Ａ）及び図６（Ａ）に示すように携帯デジタルオーディオプレイヤー（５）である場合は、縦長の本体に対して縦長の液晶ディスプレイに表示された曲名やアーティスト名や音量は正読できるのでそのままの縦位置で保持すれば良い。【００１７】    他方、保持する物品が図５（Ｂ）及び図６（Ｂ）に示すようにテレビ受信機能を内蔵した携帯電話機（４）であれば、縦長の本体に対して縦長の液晶ディスプレイに表示される着信や発信記録画面やメール画面は正読できるのでそのままの縦位置で保持すれば良いが、テレビ映像を縦長の液晶ディスプレイに表示させる場合は、できる限り大きなサイズで表示させるために横方向に表示される。このような場合に、携帯電話機（４）を縦位置でそのまま保持するとテレビ映像は９０°転回した状態となり視聴に耐えうるものではなくなるので、背面部（１ａ）とアーム部（１ｂ）を９０°転回して正視できるようにする。【００１８】  このように物品ホルダーの本体（１）に保持した携帯電話機（４）や携帯デジタルオーディオプレイヤー（５）などの液晶ディスプレイ（４ａ）、（５ａ）をより見やすくするために、本体（１）の仰角の調整を可能とした。具体的には図３の本発明の物品ホルダーの右側面図に示すように取付ベース（２）とリアケース（１ｃ）とを軸支部（１ｅ）により軸支した。【００１９】  さらに左右一対のアーム部（１ｂ）は保持する物品の幅に合わせて挟持固定するために対向方向の幅を拡狭可能に、すなわち対向方向の幅を広げたり狭めたりすることを可能に構成した。図４は、左右一対のアーム部（１ｂ）を対向方向に対して拡幅した状態を示す図である。その構造は図示しないが本発明においては、ロックスイッチ（１ｆ）を指で後方に押し込みながら右方向にスライドすると左右一対のアーム部（１ｂ）の間隔が連動して拡張し、ロックスイッチ（１ｆ）から指を話すとその位置でロックされる構造としている。一方、左右一対のアーム部（１ｂ）の間隔を狭めたいときは、ロックスイッチ（１ｆ）を指で後方に押し込みながら先ほどとは逆の左方向にスライドする。前記同様丁度良い位置でロックスイッチ（１ｆ）から指を話すとその位置でロックされる。この拡狭する構造については、左右一対のアーム部（１ｂ）が左右連動拡狭する構造や、それぞれ単独で拡狭する構造など様々な公知技術を選択設計すれば良い。また��その拡幅や狭めたときの位置固定方法（ロック方法）についてもネジやラッチで固定するなど前記同様に様々な公知技術を選択設計すれば良い。【００２０】  以上のように構成したことにより、自動車の車室内で様々なサイズの携帯電話機や携帯用デジタルオーディオプレイヤーなどの物品を保持することが可能となり、さらには、それら物品の液晶ディスプレイの表示状態に合わせて正視可能状態に転回することが可能となり、保持する物品の取り替え極めて容易に行うことができる使い勝手の良い物品ホルダーを提供することが可能となったものである。【００２１】  次に、本発明の第２の実施例について説明をするが、第１の実施例と同じ部分については省略し要旨とする部分を図面を参照して詳細に説明する。図１は、本考案の第２の実施例の全体図である。アーム部（１ｂ）の対向する一対の面には、弾性材で形成した多数のヒゲ状の突起（３）をそれぞれ設け、該突起の突出方向は、アーム部の突起形成面に鉛直な方向に対し、前記背面部方向に傾けたので、対向するアーム部（１ｂ）間に保持される携帯電話機など物品の側面を適度の押圧力で抑えて確実に保持する。また、このヒゲ状の突起（３）は、その全てが背面部方向へ傾いて設けられているので、携帯電話機などを保持しようとするときは容易に挿入し保持することができ、保持後は振動や衝撃で脱落するようなことがなく、確実な保持状態を得ることが可能となったものである。【００２２】  なお、本発明の物品ホルダーは自動車の車室内での使用を前提としたが、家庭内やオフィスの机の適宜な場所に取り付けても良い。また、取付ベース（２）に三脚固定ネジ穴を設けるなどして小型三脚を取り付け、携帯電話機に内蔵されたデジタルカメラやコンパクトデジタルカメラの簡易三脚として使用することも可能である。
【図面の簡単な説明】
【００２３】
【図１】本発明の第１及び第２実施例の全体図である。
【図２】本発明の物品ホルダーの背面図である。
【図３】本発明の物品ホルダーの右側面図である。
【図４】アーム部の幅を広げた状態を示す図である。
【図５】物品を保持した状態を示す右側面図である。
【図６】物品を保持した状態を示す正面図である。
【符号の説明】
【００２４】      １          本体
１ａ        背面部
１ｂ        アーム部
１ｃ        リアケース
１ｄ、１ｅ  軸支部
１ｆ        ロックスイッチ
２          取付ベース
３          ヒゲ状の突起
４          携帯電話機
４ａ        液晶ディスプレイ
５          携帯デジタルオーディオプレイヤー
５ａ        液晶ディスプレイ
【図１】
2008202771.tif 000003
【図２】
2008202771.tif 000004
【図３】
2008202771.tif 000005
【図４】
2008202771.tif 000006
【図５】
2008202771.tif 000007
【図６】
2008202771.tif 000008